(57)【要約】【課題】使用者が湯を沸き増したい場合に、適切な量を沸き増し、湯切れ、湯余りを回避することができる貯湯式給湯機を提供する。【解決手段】貯湯式給湯機１は、加熱手段２と、給湯装置３と、制御装置４とを備えている。貯湯装置３は、加熱手段２によって沸かされた湯を所定のタンク３１に貯える。制御装置４は、加熱手段２と貯湯装置３とを運転制御する。制御装置４は、使用者がタンク３１内の湯量を沸き増したい場合に沸き増しレベルを手動で選択するための沸き増しレベル選択手段４３を有する。【選択図】図５
2007285656.tif 000002
【特許請求の範囲】
【請求項１】
加熱手段（２）によって沸かされた湯を所定のタンク（３１）に貯える貯湯装置（３）と、
前記加熱手段（２）と前記貯湯装置（３）とを運転制御する制御装置（４）と、
を備え、
前記制御装置（４）は、使用者が前記タンク（３１）内の湯量を沸き増したい場合に沸き増しレベルを手動で選択するための沸き増しレベル選択手段（４３）を有する、
貯湯式給湯機（１）。
【請求項２】
前記沸き増しレベル選択手段（４３）は、選択された前記沸き増しレベルと、前記沸き増しレベルに対応する使用可能な給湯量を示唆する目安（６ｃ）と、を表示する、
請求項１に記載の貯湯式給湯機（１）。
【請求項３】
前記沸き増しレベル選択手段（４３）は、前記使用者が前記沸き増しレベルを選択するための選択範囲（４３ａ）を提供する、
請求項１に記載の貯湯式給湯機（１）。
【請求項４】
前記選択範囲（４３ａ）には、前記沸き増しレベルの狙い値がそれぞれ異なる複数の沸き増しレベル選択肢（Ａ１〜Ａ５）が含まれている、
請求項３に記載の貯湯式給湯機（１）。
【請求項５】
前記選択範囲（４３ａ）には、前記タンク（３１）内を湯でいっぱいに満たしている満タン状態を選択するための満タン選択肢（Ａ６〜Ａ８）がさらに含まれている、
請求項３に記載の貯湯式給湯機（１）。
【請求項６】
前記満タン選択肢（Ａ６〜Ａ８）は、前記満タン状態を維持する時間量に基づいて選択されるようにした、
請求項５に記載の貯湯式給湯機（１）。
【請求項７】
前記制御装置（４）は、前記タンク（３１）内に残っている湯量を検知する残湯量検知手段（４４）をさらに有し、
前記沸き増しレベル選択手段（４３）は、前記残湯量検知手段（４４）によって検知される残湯量に応じて、前記選択範囲（４３ａ）を変化させる、
請求項３に記載の貯湯式給湯機（１）。
【請求項８】
前記制御装置（４）は、遠隔操作手段（４６）をさらに有し、
前記沸き増しレベル選択手段（４３）が前記遠隔操作手段（４６）上に設けられている、
請求項１に記載の貯湯式給湯機（１）。
【発明の詳細な説明】
【技術分野】
【０００１】
本発明は、自動で湯を沸かしタンクに貯蔵する貯湯式給湯機に関する。
【背景技術】
【０００２】
従来、タンク内の残湯量が少ない場合、手動で沸き増すことが可能であった。（例えば、特許文献１参照）
【特許文献１】特開２００４−１３８２９９号公報
【発明の開示】
【発明が解決しようとする課題】
【０００３】
しかしながら、特許文献１の貯湯式給湯機では、その沸き増し量は固定であり、不足の場合は再度沸き増さなければならない。また逆に、少しの沸き増し量でよい場合でも、必要以上に沸き増すので電気代が無駄になる。
本発明の課題は、使用者が湯を沸き増したい場合に、適切な量を沸き増し、湯切れ、湯余りを回避することができる貯湯式給湯機を提供することにある。
【課題を解決するための手段】
【０００４】
第１発明に係る貯湯式給湯機は、加熱手段と、給湯装置と、制御装置とを備えている。貯湯装置は、加熱手段によって沸かされた湯を所定のタンクに貯える。制御装置は、加熱手段と貯湯装置とを運転制御する。制御装置は、使用者がタンク内の湯量を沸き増したい場合に沸き増しレベルを手動で選択するための沸き増しレベル選択手段を有する。
この貯湯式給湯機では、使用者が増やしたい湯量に対応する沸き増しレベルを選択して設定できる。このため、湯切れ、湯余りが回避される。
【０００５】
第２発明に係る貯湯式給湯機は、第１発明に係る貯湯式給湯機であって、沸き増しレベル選択手段が、選択された沸き増しレベルと、沸き増しレベルに対応する使用可能な給湯量を示唆する目安とを表示する。
この貯湯式給湯機では、使用者が選択した沸き増しレベルが適切か否かを、使用者自らが判断できる。このため、選択ミスが防止され、湯切れ、湯余りが回避される。
【０００６】
第３発明に係る貯湯式給湯機は、第１発明に係る貯湯式給湯機であって、沸き増しレベル選択手段が、使用者が沸き増しレベルを選択するための選択範囲を提供する。
この貯湯式給湯機では、使用者は選択するだけであり、使い勝手がよい。
【０００７】
第４発明に係る貯湯式給湯機は、第３発明に係る貯湯式給湯機であって、選択範囲には、沸き増しレベルの狙い値がそれぞれ異なる複数の沸き増しレベル選択肢が含まれている。
この貯湯式給湯機では、使用者は複数の選択肢から適切な沸き増しレベルを選択できるので、使用者の必要な湯量に合わせることが容易になり、湯切れ、湯余りが回避される。
【０００８】
第５発明に係る貯湯式給湯機は、第３発明に係る貯湯式給湯機であって、選択範囲には、タンク内を湯でいっぱいに満たしている満タン状態を選択するための満タン選択肢さらに含まれている。
この貯湯式給湯機では、使用者は、沸き増しだけでなく、満タンをも選択できる。このため、満タンを選択すれば、少なくとも湯切れが回避される。
【０００９】
第６発明に係る貯湯式給湯機は、第５発明に係る貯湯式給湯機であって、満タン選択肢が、満タン状態を維持する時間量に基づいて選択されるようになっている。
この貯湯式給湯機では、使用者は、満タンを時間量で選択できるので、使い勝手が良く、湯切れが回避される。
【００１０】
第７発明に係る貯湯式給湯機は、第３発明に係る貯湯式給湯機であって、制御装置が、タンク内に残っている湯量を検知する残湯量検知手段をさらに有している。沸き増しレベル選択手段は、残湯量検知手段によって検知される残湯量に応じて、選択範囲を変化させる。
この貯湯式給湯機では、使用者は、迷うことなく必要な沸き増しレベルを選択できる。このため、選択ミスが防止され、湯切れ、湯余りが回避される。
第８発明に係る貯湯式給湯機は、第１発明に係る貯湯式給湯機であって、制御装置が、遠隔操作手段をさらに有する。沸き増しレベル選択手段が遠隔操作手段上に設けられている。
この貯湯式給湯機では、使用者は離れた位置から必要な沸き増しレベルを選択できるので、使い勝手が良い。
【発明の効果】
【００１１】
第１発明に係る貯湯式給湯機では、使用者が増やしたい湯量に対応する沸き増しレベルを選択して設定できる。このため、湯切れ、湯余りが回避される。
第２発明に係る貯湯式給湯機では、使用者が選択した沸き増しレベルが適切か否かを、使用者自らが判断できる。このため、選択ミスが防止され、湯切れ、湯余りが回避される。
【００１２】
第３発明に係る貯湯式給湯機では、使用者は選択するだけであり、使い勝手がよい。
第４発明に係る貯湯式給湯機では、使用者は複数の選択肢から適切な沸き増しレベルを選択できるので、使用者の必要な湯量に合わせることが容易になり、湯切れ、湯余りが回避される。
第５発明に係る貯湯式給湯機では、使用者は、沸き増しだけでなく、満タンをも選択できる。このため、満タンを選択すれば、少なくとも湯切れが回避される。
【００１３】
第６発明に係る貯湯式給湯機では、使用者は、満タンを時間量で選択できるので、使い勝手が良く、湯切れが回避される。
第７発明に係る貯湯式給湯機では、使用者は、迷うことなく必要な沸き増しレベルを選択できる。このため、選択ミスが防止され、湯切れ、湯余りが回避される。
第８発明に係る貯湯式給湯機では、使用者は離れた位置から必要な沸き増しレベルを選択できるので、使い勝手が良い。
【発明を実施するための最良の形態】
【００１４】
＜貯湯式給湯器の構成＞
本実施形態に係る貯湯式給湯機の概略構成図を図１に示す。貯湯式給湯機１は、ヒートポンプユニット（加熱手段）２と貯湯装置３とによって構成されている。ヒートポンプユニット２は、マフラー２１ａ、圧縮機２１、水熱交換器２２内の冷媒管２２ａ、減圧手段としての膨張弁２３、及び空気熱交換器２４が、冷媒配管２５によって環状に接続された圧縮式の冷凍回路２０を有する。
【００１５】
また、冷凍回路２０には、水熱交換器２２から出る高圧高温の冷媒と、空気熱交換器２４から出る低圧低温の冷媒との間で熱交換を行うため、液ガス熱交換器２６が配置されている。具体的には、水熱交換器２２と膨張弁２３とを連結する冷媒通路と、空気熱交換器２４と圧縮機２１とを連結する冷媒通路との間で熱交換が行われる。
貯湯装置３は、貯湯タンク３１、水熱交換器２２内の水管２２ｂ及び水循環ポンプ３２が、水循環配管３５によって環状に接続された水循環回路３０を有する。制御装置４は、ヒートポンプユニット２と貯湯装置３を運転制御する。
【００１６】
＜貯湯装置＞
図２は、本実施形態に係る貯湯式給湯機の貯湯装置と負荷とを連絡する配管の回路図である。なお、ここで述べる負荷とは、給湯と風呂を指す。給湯管７１は、タンク３１の頭部と給湯混合弁７３とを連絡する。給湯管７１は給湯分岐管７１ａ，７１ｂを有しており、給湯分岐管７１ａは、給水管７１とお湯はり混合弁７４とを連絡し、給湯分岐管７１ｂは、給水管７１と逃し弁７５を連絡している。
【００１７】
給水管７２は、水供給源と給湯混合弁７３を連絡する。給水管７２は、給水分岐管７２ａ、７２ｂを有しており、給水分岐管７２ａは、給水管７２とお湯はり混合弁７４とを連絡し、給水分岐管７２ｂは、給水管７２とタンク３１の底部とを連絡している。なお、給水分岐管７２ａと給水分岐管７２ｂとの上流には減圧逆止弁７６が接続されている。また、給水分岐管７２ｂのタンク３１から離れた位置には、水温センサ４１が設けられており、水温センサ４１が、タンク３１から温度影響を受けないように配慮されている。
【００１８】
湯循環配管７７は、タンク３１の頭部とタンク３１の底部を連絡しており、途中には追焚熱交換器７８と循環ポンプ７９が接続されている。
第２給湯管８１は、給湯混合弁７３と給湯口８２とを連絡し、途中に給湯水量センサ４２ａが配置されている。第３給湯管８３は、お湯はり混合弁７４と風呂水循環配管９１とを連絡しており、途中に複合水弁８４が配置されている。複合水弁８４は、お湯はり電磁弁８４ａと、排水弁８４ｂと、お湯はり水量センサ４２ｂとで構成されている。
【００１９】
風呂水循環配管９１は、浴槽９２から出て浴槽９２に戻り、途中に風呂水循環ポンプ９３が接続されている。なお、追焚熱交換器７８において、風呂水循環配管９１と湯循環配管７７との間で熱交換が行われる。
タンク３１の側壁には、頭部から底部へ向かい一定間隔をおいて残湯量検知手段４４としての温度センサ４４ａ〜４４ｅが設けられている。タンク３１の各高さ位置の湯温を温度センサ４４ａ〜４４ｅで検知することによって湯の温度と残湯量が算出される。
【００２０】
＜制御装置＞
図３は、制御装置４のブロック図である。ここでは、概略の構成について説明し、各部の詳細については、後半で随時説明する。
制御装置４は、制御部６、水温センサ（水温検知手段）４１、流量検知手段４２としての給湯水量センサ４２ａ，お湯はり水量センサ４２ｂ、残湯量検知手段としての温度センサ４４ａ〜４４ｅ、沸き増しレベル選択手段４３、エコ停止設定手段（一時停止設定手段）４５およびリモコン（遠隔操作手段）４６を有している。なお、沸き増し設定手段４３とエコ停止設定手段４５とは、リモコン４６上に設けられている。
【００２１】
リモコン４６は、表示部４６ａと、給湯温度選定ボタン４６ｂと、湯量設定ボタン４６ｃと、沸き増し設定ボタン４６ｄと、エコ停止設定ボタン４６ｅとを有する。
制御部６は、ＣＰＵやメモリなどから成り、沸き増しレベル選択手段４３を操作するときに必要な選択範囲４３ａが記憶されている。また、選択範囲４３ａは、沸き増しレベル選択肢Ａ１〜Ａ５（図６参照）と満タン選択肢Ａ６〜Ａ８（図６参照）とを含んでいる。
【００２２】
また、制御部６には、おまかせモード（全自動モード）６ａ、非おまかせモード（半自動モード）６ｂがプログラムされており、おまかせモード６ａに対応する第１自動沸き上げ機能６０ａ、非おまかせモード６ｂに対応する第２自動沸き上げ機能６０ｂもプログラムされている。
（おまかせモードと非おまかせモード）
本実施形態では、過去の時間帯別の給湯実績を学習して湯量を設定し自動で湯を沸き上げるおまかせモード（全自動モード）６ａ、湯量を使用者に設定させて自動で湯を沸き上げる非おまかせモード（半自動モード）６ｂが予めプログラムされている。制御装置４に電源が投入され、使用者による設定がない場合は、おまかせモード６ａが自動的に選択され、使用者の操作によって湯量を多めに設定した場合などは、非おまかせモード６ｂとなる。
【００２３】
（自動沸き上げ機能）
いずれにせよ、おまかせモードと非おまかせモードとには、湯を自動で沸き上げるための自動沸き上げ機能６０が搭載されており、おまかせモード６ａには第１自動沸き上げ機能６０ａが搭載され、非おまかせモード６ｂに対応する第２自動沸き上げ機能６０ｂが搭載されている。
【００２４】
（水温検知制御）
給湯混合弁７３、お湯はり混合弁７４の弁開度は、湯温と水温とに基づいて決定されており、例えば、水温が高い場合は、弁開度は水側へ大きくひらくことになる。このため、水温が正しく検知されなければ使用者が求める温度の湯を提供することができない。本実施形態では、水温センサ４１は、タンク３１から温度影響を受けないようにタンク３１から離れた給水管７２或いは給水分岐管７２ｂに設置されている。さらに、滞留している水の温度を採用しないように、水温センサ４１が設置されている場所の水が所定量以上且つ所定時間以上流れたことが確認された後に検知された値を水温として採用している。
【００２５】
本実施形態では、水温センサ４１は、給水分岐管７２ｂに設置されており、給水分岐管７２ｂ内の水の流れは、第２給湯管８１に接続されている給湯水量センサ４２ａと、第３給湯管８３に接続されているお湯はり水量センサ４２ｂとによって間接的に検知される。タンク３１から湯が出ていくと、タンク３１に水が補充されるので、給湯水量センサ４２ａと、お湯はり水量センサ４２ｂとによって検知される水量は、タンク３１に補充される水量とみなすことができる。
また、検知された水温は、制御部６に記憶され、現在記憶されている水温よりも低い水温が検知された場合は、低いほうの水温へ更新するようにしている。なお、制御部６に記憶される水温のデータは、所定時刻になると初期化される。本実施形態では、午前５時に水温のデータを初期化している。
【００２６】
＜リモコンの構成＞
使用者は、リモコン４６によって、給湯温度、湯量およびその他の条件を設定することができる。図４は、本実施形態に係る貯湯式給湯機１のリモコンの正面図である。リモコン４６は、表示部４６ａ、給湯温度設定ボタン４６ｂ、湯量設定ボタン４６ｃ、沸き増し設定ボタン４６ｄおよびエコ停止設定ボタン４６ｅなど各種設定ボタンを有している。表示部４６ａには、給湯温度、残湯量および設定されている条件などが表示される。たとえば図４では、給湯温度は４２℃、残湯量は最大の５レベルであることを表示している。沸き増し設定ボタン４６ｄと、エコ停止設定ボタン４６ｅについては後半で随時説明する。
【００２７】
（沸き増し設定）
使用者がタンク内の湯量を増やしたいときは、リモコン４６の沸き増し設定ボタン４６ｄを押すことによって、５段階の沸き増しレベルと、３段階の満タンを選択できる。図５は、本実施形態に係る貯湯式給湯機の沸き増し設定時のリモコンの正面図であり、図６は、沸き増し設定時の選択範囲を表した説明図である。
【００２８】
図６に示すように、残湯量が０レベルのとき、使用者は、沸き増しレベルを、沸き増し[＋１]〜沸き増し[＋５]の５個（Ａ１〜Ａ５）、満タン[６時間]、満タン[１２時間]および満タン[２４時間]の３個（Ａ６〜Ａ８）の合計８個の選択肢を持つ選択範囲４３ａから選択できる。したがって、使用者は、沸き増し設定ボタン４６ｄを８回押すことができ、９回押すと設定が解除される。例えば図５を参照すると、リモコン４６の沸き増し設定ボタン４６ｄを１回押すと、表示部４６ａに「沸き増し[１]」のように選択したレベルが表示され、その上方に「シャワー：＋約１００Ｌ」のように目安６ｃが表示される。これは、沸き増し[１]を選択すると、シャワーで約１００Ｌ使用できることを使用者に知らせ、使用者がこれで不十分と感じれば、さらに沸き増し設定ボタンを押して、沸き増しレベルを上げることができる。
【００２９】
なお、残湯量は、タンク３１に残っている４５℃〜８５℃のお湯の量であり、実際に使用する際には、水と混合して給湯される。したがって、使用者にとっては、残湯量を見るよりも、実際に使用する温度での給湯量を見るほうが分かりやすい。したがって、目安６ｃは、「シャワー：＋約１００Ｌ」以外にも、「シャワー：＋１５分」、「ふろ湯はり：約２００Ｌ／回」など使用者にわかりやすい表現が良い。
【００３０】
次に、残湯量が２レベルのときの、沸き増し設定について図７を参照しながら説明する。図７は、沸き増し設定時の設定方法を表した説明図であり、残湯量が２レベルのときの設定と解除の順序を示している。使用者は、沸き増し[＋１]〜沸き増し[＋３]の３個（Ａ１〜Ａ３）と、満タン[６時間]、満タン[１２時間]および満タン[２４時間]の３個（Ａ６〜Ａ８）の合計６個の選択肢を持つ選択範囲４３ａから選択できる（図６参照）。したがって、使用者は、沸き増し設定ボタン４６ｄを６回押すことができ、７回押すと設定が解除される。
【００３１】
一方、残湯量が５レベルで、残湯量が十分にあるときは、使用者は、満タン[６時間]、満タン[１２時間]および満タン[２４時間]の３個（Ａ６〜Ａ８）の選択肢を持つ選択範囲４３ａから選択できる（図６参照）。したがって、使用者は、沸き増し設定ボタン４６ｄを３回押すことができ、４回押すと解除される。例えば、沸き増し設定ボタン４６ｄを２回押して満タン[１２時間]を選択すると、タンク３１内の湯量は、１２時間満タン状態が維持され、使用により湯量が減った場合には、直ちに沸き上げ運転となり、満タンになるまで運転が続く。
【００３２】
（エコ停止設定）
使用者が、リモコン４６に表示されている残湯量を見て、その残湯量で深夜時間帯開始時まで賄えると判断した場合は、エコ停止設定ボタン４６ｅを押すことによって、自動沸き上げ機能６０を深夜時間帯開始時まで停止させ、不要な沸き上げを防止することができる。なお、本実施形態の深夜時間帯開始は、２３時である。なお、本実施形態では、エコ停止設定ボタン４６ｅを押し、自動沸き上げ機能６０を深夜時間帯開始時まで停止させることを、「エコ停止」と呼ぶ。
【００３３】
使用者がエコ停止設定ボタン４６ｅを押したときに、タンク３１内の残湯量に基づいて、所定温度での使用可能な給湯量を算出し、リモコン４６の表示部４６ａへ表示する。そしてその下方に、エコ停止設定ボタン４６ｅを押した時点から深夜時間帯開始時までに使用すると予測される給湯量予測値を表示する。なお、給湯量予測値については後半で説明する。
【００３４】
例えば図８を参照しながら説明すると、使用者が午後４時にエコ停止設定ボタン４６ｅを押すと、そのときの残湯量が最大（表示５レベル）であったとすれば、表示部４６ａには、４２℃のシャワーで約３００Ｌの給湯できることを示唆する目安６ｃが表示され、続いて、午後４時から午後１１時までの７時間に４２℃のシャワーで約２５０Ｌ給湯する可能性があることを示唆する目安６ｃが表示される。そして、使用者がエコ停止設定を解除しなければ、図８（ｂ）のようにエコ停止設定の開始時間である午後４時を表示する。
【００３５】
逆に、図８（ｃ）のように残湯量が表示２レベルであったとすれば、表示部４６ａには、４２℃のシャワーで約１５０Ｌの給湯できることを示唆する目安６ｃが表示され、その下方に、午後４時から午後１１時までの７時間に４２℃のシャワーで約２５０Ｌ給湯する可能性があることを示唆する目安６ｃが表示される。このとき、給湯量予測値が、使用可能な給湯量を上回るので、使用者に対し、湯が不足する可能性があることを報知し、エコ停止設定の解除を促す。
【００３６】
（給湯量予測値）
本実施形態では、制御部６に過去の時間帯別の給湯実績を記憶しており、この給湯実績に基づいて、昼間の任意の時点から深夜時間帯開始時までに必要とされる給湯量を予測することができる。なお、過去の時間帯別の給湯実績は、熱量単位（ｋｃａｌ）で記憶されており、必要に応じて所定温度での給湯量（Ｌ）に換算される。
【００３７】
図９は、制御部６に記憶されている、過去７日間の午前７時から翌朝６時までの時間帯別給湯量実績とそれから予測される時間帯別給湯量予測値を示すデータ群のイメージ図である。例えば、１６時（午後４時）にエコ停止設定ボタンが押されると、制御部６はデータ群に基づき、エコ停止設定１６時から深夜時間帯開始の２３時（午後１１時）までの時間帯別給湯量予測値を合算し、給湯可能量と比較する。
【００３８】
図１０（ａ）は、給湯可能量が給湯量予測値を上回る場合の比較グラフであり、図１０（ｂ）は、給湯可能量が給湯量予測値を下回る場合の比較グラフである。本実施形態では、図１０（ａ）のように給湯可能量が給湯量予測値を上回る場合は、表示部４６ａに給湯可能量と給湯量予測値を表示するだけであるが、図１０（ｂ）のように給湯可能量が給湯量予測値を下回る場合は、表示部４６ａに給湯可能量と給湯量予測値を表示すると同時に使用者へ「お湯が足りなくなります。エコ停止を解除してください。」の警告を出す。
【００３９】
（時刻設定）
本実施形態は、時刻の設定と記録を行う時刻機能を有しているが、長時間停電等によって電源供給が停止されると、時刻の記録ができなくなり、リセットされる。時刻がリセットされた状態では、自動沸き上げ機能に不都合をきたすため、長時間停電によるリセットがあった場合に備えて時刻設定ナビ機能がプログラムされている。
【００４０】
この時刻設定ナビ機能は、時刻がリセットされた後に電源が供給されると、リモコン４６の表示部４６ａ上の表示が、時刻が未設定であることをユーザーへ知らせる。また、リモコン４６の全ての設定ボタンに対して操作が無効となり、設定ボタンの操作を行うと時刻の設定が必要であることを音声で知らせ、時刻を設定するための時刻設定モードへ強制的に移行する。これによって、時刻がリセットされた場合でも、使用者は取扱説明書を確認することなく、リモコン４６の指示に従って設定するだけでよく、操作ミスや操作忘れが回避される。
【００４１】
＜特徴＞
（１）
この貯湯式給湯機１は、加熱手段２と、給湯装置３と、制御装置４とを備えている。貯湯装置３は、加熱手段２によって沸かされた湯を所定のタンク３１に貯える。制御装置４は、加熱手段２と貯湯装置３とを運転制御する。制御装置４は、使用者がタンク３１内の湯量を沸き増したい場合に沸き増しレベルを手動で選択するための沸き増しレベル選択手段４３を有する。このため、使用者が増やしたい湯量に対応する沸き増しレベルを選択して設定できる。また、沸き増しレベル選択手段４３は、選択された沸き増しレベルと、沸き増しレベルに対応する使用可能な給湯量を示唆する目安６ｃとを表示する。このため、使用者が選択した沸き増しレベルが適切か否かを、使用者自らが判断できる。また、沸き増しレベル選択手段４３は、使用者が沸き増しレベルを選択するための選択範囲４３ａを提供し、選択範囲４３ａには、沸き増しレベルの狙い値がそれぞれ異なる複数の沸き増しレベル選択肢Ａ１〜Ａ５が含まれている。このため、使用者は複数の選択肢から適切な沸き増しレベルを選択できるので、使用者の必要な湯量に合わせることが容易になり、湯切れ、湯余りが回避される。
【００４２】
（２）
この貯湯式給湯機１では、選択範囲４３ａに、タンク３１内を湯でいっぱいに満たしている満タン状態を選択するための満タン選択肢Ａ６〜Ａ８がさらに含まれている。満タン選択肢Ａ６〜Ａ８は、満タン状態を維持する時間量に基づいて選択されるようにしている。このため、使用者は満タンを選択すれば、すくなくとも湯切れが回避される。さらに、満タンを時間量で選択できるので、使い勝手が良い。
【００４３】
（３）
この貯湯式給湯機１では、制御装置４は、タンク３１内に残っている湯量を検知する残湯量検知手段４４をさらに有している。沸き増しレベル選択手段４３は、残湯量検知手段４４によって検知される残湯量に応じて、選択範囲４３ａを変化させる。したがって、使用者は残湯量によって迷うことなく必要な沸き増しレベルを選択できるので、選択ミスが防止され、湯切れ、湯余りが回避される。
【００４４】
（４）
制御装置４は、遠隔操作手段４６をさらに有する。沸き増しレベル選択手段４３が遠隔操作手段４６上に設けられている。したがって、使用者は離れた位置から必要な沸き増しレベルを選択できるので、使い勝手が良い。
【産業上の利用可能性】
【００４５】
以上のように本発明によれば、適切な沸き増しレベルを設定でき湯切れ、湯余りが回避されるので、自動で湯を沸かしタンクに貯蔵する貯湯式給湯機に有用である。
【図面の簡単な説明】
【００４６】
【図１】本実施形態に係る貯湯式給湯機の概略構成図。
【図２】同貯湯式給湯機の貯湯装置と負荷とを連絡する配管の回路図。
【図３】同貯湯式給湯機の制御装置のブロック図。
【図４】同貯湯式給湯機のリモコンの正面図である。
【図５】同貯湯式給湯機の沸き増し設定時のリモコンの正面図。
【図６】沸き増し設定時の選択範囲を表した説明図。
【図７】沸き増し設定時の設定方法を表した説明図。
【図８】（ａ）本実施形態に係る貯湯式給湯機のエコ停止設定時のリモコンの正面図。        （ｂ）エコ停止設定時のリモコンの表示部の表示例。        （ｃ）エコ停止設定時のリモコンの表示部の表示例。
【図９】制御部に記憶されている、過去の時間帯別給湯量実績とそれから予測される時間帯別給湯量予測値を示すデータ群のイメージ図。
【図１０】（ａ）給湯可能量が給湯量予測値を上回る場合の比較グラフ。          （ｂ）給湯可能量が給湯量予測値を下回る場合の比較グラフ。
【符号の説明】
【００４７】
１  貯湯式給湯機
２  ヒートポンプユニット（加熱手段）
３  貯湯装置
４  制御装置
６ｃ  目安
３１  タンク
４３  沸き増しレベル選択手段
４３ａ  選択範囲
４４  残湯量検知センサ
４６  リモコン（遠隔操作手段）
【図１】
2007285656.tif 000003
【図２】
2007285656.tif 000004
【図３】
2007285656.tif 000005
【図４】
2007285656.tif 000006
【図５】
2007285656.tif 000007
【図６】
2007285656.tif 000008
【図７】
2007285656.tif 000009
【図８】
2007285656.tif 000010
【図９】
2007285656.tif 000011
【図１０】
2007285656.tif 000012